(57)【特許請求の範囲】
【請求項１】
相互に嵌合接続される一組の雌雄コネクタの一方のコネクタのハウジング内に収納した圧縮バネの反発力で前記コネクタ相互の中途嵌合を防止すると共に、前記ハウジング内で摺動可能に支持されて相手コネクタとの嵌合時に前記圧縮バネと協動して前記ハウジング上に設けられた係止爪を有するロックアームを撓ませて前記相手コネクタの係止溝に係止させるスライド部材が設けられている半嵌合防止コネクタにおいて、
前記スライド部材にバネ機能を備えたバネ部材が端子収納室を有する前記ハウジング上に併設された専用スペースに収容され、前記バネ部材の前記圧縮バネの後端側は前記ハウジング後端側に固定枠により固定されると共に、前記バネ部材の前端には前記ロックアームの案内部に案内されるガイド枠と前記相手コネクタのストッパ突起に当接する当接部から成る前記スライド部材及び前記バネ部材の後端には前記固定枠が一体的に設けられていることを特徴とする半嵌合防止コネクタ。
【請求項２】
前記案内部は前記ロックアームの先端から水平に切られたスライド溝で形成されると共に、前記ガイド枠は前記スライド溝に摺動可能な状態で跨るように係合され、前記スライド部材を案内することを特徴とする請求項１記載の半嵌合防止コネクタ。
【請求項３】
前記圧縮バネが帯状板をジグザグ状に折り曲げて形成したジグザグバネであることを特徴とする請求項１記載の半嵌合防止コネクタ。
【発明の詳細な説明】
【０００１】
【発明の属する技術分野】
本発明は、相互に嵌合接続される一組の雌雄コネクタの少なくとも一方のハウジングに装着した圧縮バネの反発力により中途嵌合を確実に防止すると共に、相手コネクタとの嵌合ロックを確実に行うための半嵌合防止コネクタに関する。
【０００２】
【従来の技術】
従来から半嵌合防止コネクタに関しては種々なものが知られており、例えば、図６〜図１０に示したものを一例にして従来の半嵌合防止コネクタに就いて説明する。
図６乃至図８に示したように従来の半嵌合防止コネクタ５１は、相互に嵌合される一組の雌雄コネクタ５２，５３の一方の雄コネクタ５２のハウジング５４上に一体的に設けられた専用ハウジング５５内の両側のバネ収納部５６に収納した一対のコイル状圧縮バネ５７の反発力で上記雌雄コネクタ５２，５３相互の中途嵌合を防止する。
また、相手雌コネクタ５３を係止する係合突起５９を先端下面に有し、ハウジング５４内で撓み可能に支持されたロックアーム５８を備えている。また、専用ハウジング５５内には、スライド部材としてのスライダ６２が摺動可能に保持されている。
【０００３】
さらに、ロックアーム５８には係合突起５９の反対側である上面に変位防止突起６０を備えると共に、根本部上面にはロックビーク６１が設けられている。また、専用ハウジング５５は本来スライダ６２を軸方向に摺動させて保持するものであって、大部分は上部が開口されたスライダ収容部６３になっている。そして、ロックアーム５８の両側には側方空間６４とガイド溝６５が設けられていてスライダ６２が跨って摺動できるようになっている。
【０００４】
前記スライダ６２にはスライダ本体６６があって上記ガイド溝６５に案内されて摺動するようになっている。スライダ本体６６の後端両側にはバネ受け部６７があって圧縮バネ５７を引き掛けてガイド溝６５内をバネ収納部５６方向へ圧縮するようになっている。
また、スライダ本体６６にはＵ字状切り欠き６８があって、前端に設けられた変位防止部７１を保持している。また、スライダ本体６６の後部を根本として上方へ可撓なスライダアーム６９が形成されている。このスライダアーム６９の前端下面には一対の当接突起７０が設けられていて、上記側方空間６４内を摺動出来るようになっている。
【０００５】
さらに、スライダ本体６６前端には下面が凹面状になった変位防止部７１が設けられていて、上記変位防止突起６０が当接したときロックアーム５８の変位を防止するようになっている。また、スライダ本体６６の後端部上面には手指で後方へ押圧可能な押圧部７２が設けられていると共に、該押圧部７２前方のスライダアーム６９中心部には角穴状のスライド溝７３が設けられていて、前記ロックビーク６１がこの溝内で前後に移動可能になっている。
【０００６】
なお、ハウジング５４の下部は雄コネクタハウジング７４になっていて、雌コネクタハウジング７６内面に嵌合するようになっている。
また、雌のハウジング７５上面には前記係合突起５９に係止される傾斜突起７７が設けられていると共に、スライダ６２の当接突起７０に当接する一対のストッパ突起７８が設けられている。
【０００７】
上記構成の半嵌合防止コネクタ５１においては、図６に示したように、先ず雄コネクタ５２の専用ハウジング５５のばね収納部５６内に一対の圧縮バネ５７を挿入した後、スライダ６２をガイド溝６５に沿って挿入すると、押圧部７２の前端下部がロックアーム５８を下方に撓ませながらロックビーク６１を乗り越える。
そして、図７に示したように挿入力を解除すると、圧縮バネ５７で前方に付勢されているスライダ６２の押圧部７２前端がロックビーク６１に当接されるから、スライダ６２はハウジング５４内に摺動可能な状態で位置決めされる。
【０００８】
次に、雄コネクタハウジング７４内に後部に被覆電線Ｗを接続した雌型端子４１を装着すると共に、雌のハウジング７５内に被覆電線Ｗを接続した雄型端子４２を装着した後、図８に示したように雌雄コネクタ５２，５３を向かい合わせて嵌合方向へ押圧する。
その結果、雌のハウジング７５上のストッパ突起７８がスライダ６２の当接突起７０に当接して、スライダ６２は圧縮バネ５７を圧縮しながらハウジング５４の後方へ押し込められる。その後、ロックアーム５８は係合突起５９が傾斜突起７７に乗り上がることにより上方に撓むと共に、スライダアーム６９はロックビーク６１に乗り上がることにより上方に撓む。
【０００９】
この段階で雌雄コネクタ５２，５３の嵌合力を解除すると、圧縮バネ５７の付勢力でスライダ６２が押し戻されるから雌コネクタ５３は当接突起７０とストッパ突起７８を介して押し戻され、中途嵌合状態に放置されることが防止される。
また、この中途嵌合状態は専用ハウジング５５の上部が開口されているので、図８に示すように、押圧部７２が専用ハウジング５５の後端部にあるので目視でも確認できる。
【００１０】
さらに、嵌合を進めると、図９に示すように、ロックビーク６１によりスライダアーム６９が一層上方へ撓んで当接突起７０がストッパ突起７８から外れることで、圧縮バネ５７の付勢力によってスライダ６２は前方へ押し戻され、押圧部７２の前端がロックビーク６１に当接して停止する。
この時、係合突起５９が傾斜突起７７に係止されるからロックアーム５８の撓みも元に戻ると共に、元に戻ったスライダ６２の変位防止部７１がロックアーム５８の変位防止突起６０に被さる。これにより、ロックアーム５８は撓めなくなり完全嵌合状態となる。また、押圧部７２の位置が後端から前寄りの位置になるので目視することによって確認できる。
【００１１】
次に、雌雄コネクタ５２，５３の嵌合を解除するには、図１０に示したように、ハウジング７５を持って押圧部７２を手指で後方へ圧縮バネ５７を圧縮しながら引っ張る。これにより、スライダ６２が後退して変位防止突起６０が変位防止部７１によるロック状態から解除されると共に、当接突起７０がストッパ突起７８に乗り上がるからスライダアーム６９が上方へ撓み始める。
さらに、押圧部７２を引っ張ると、スライダアーム６９の先端部がロックビーク６１に乗り上がると同時に係合突起５９も傾斜突起７７によるロックから解除されるので雌雄コネクタ５２，５３を嵌合解除することができる。
【００１２】
【発明が解決しようとする課題】
しかしながら、上記従来の半嵌合防止コネクタ５１においては、スライダ６２を必要とするので部品点数が増加すると共に、組立工数がかかるからコストアップにつながるという問題があった。
また、嵌合解除時に押圧部７２を後方へ引っ張るとき、圧縮バネを圧縮しながら引っ張らなければならないので、解除時の作業性が悪いという問題があった。
さらに、コネクタ５２，５３の嵌合及び解除時にロックアーム５８やスライダーアーム６９が大きく撓む必要があるので、コネクタの耐久性に問題があった。
【００１３】
本発明に係わる課題は、上記問題点に鑑みてなされたものであり、部品点数が少なく解除時の作業性も良好で、かつ嵌合及び解除時にコネクタの樹脂部材の撓みが少なく耐久性に優れた半嵌合防止コネクタを提供することである。
【００１４】
【課題を解決するための手段】
本発明に係わる上記課題は、相互に嵌合接続される一組の雌雄コネクタの一方のコネクタのハウジング内に収納した圧縮バネの反発力で前記コネクタ相互の中途嵌合を防止すると共に、前記ハウジング内で摺動可能に支持されて相手コネクタとの嵌合時に前記圧縮バネと協動して前記ハウジング上に設けられた係止爪を有するロックアームを撓ませて前記相手コネクタの係止溝に係止させるスライド部材が設けられている半嵌合防止コネクタにおいて、前記スライド部材にバネ機能を備えたバネ部材が端子収納室を有する前記ハウジング上に併設された専用スペースに収容され、前記バネ部材の前記圧縮バネの後端側は前記ハウジング後端側に固定枠により固定されると共に、前記バネ部材の前端には前記ロックアームの案内部に案内されるガイド枠と前記相手コネクタのストッパ突起に当接する当接部から成る前記スライド部材及び前記バネ部材の後端には前記固定枠が一体的に設けられていることを特徴とする半嵌合防止コネクタによって解決することができる。
また、前記半嵌合防止コネクタにおいて、好ましくは前記案内部は前記ロックアームの先端から水平に切られたスライド溝で形成されると共に、前記ガイド枠は前記スライド溝に摺動可能な状態で跨るように係合され、前記スライド部材を案内することによって解決される。
さらに、上記半嵌合防止コネクタにおいて、好ましくは前記圧縮バネが帯状板をジグザグ状に折り曲げて形成したジグザグバネであることによって解決される。
【００１５】
上記構成の半嵌合防止コネクタによれば、スライド部材にバネ機能を備えたバネ部材が端子収納室を有するハウジング上に併設された専用スペースに収容され、前記バネ部材の圧縮バネの後端側は前記ハウジング後端側に固定枠により固定されると共に、前記バネ部材の前端にはロックアームの案内部に案内されるガイド枠と相手コネクタのストッパ突起に当接する当接部から成る前記スライド部材及び前記バネ部材の後端には前記固定枠が一体的に設けられている。
従って、スライダが不要になるから部品点数が少なく構造が簡単になると共に、組立工数が低減される。また、雌雄のコネクタの嵌合及び解除時にロックアームの撓みが少なく、それ以外の樹脂部材は撓まないので、耐久性の向上を図ることができる。
また、ロック解除時に前記バネ部材が圧縮されないようになっているので、嵌合解除時にバネ部材の付勢力に抗して引き戻す必要がなくなるから解除作業が容易になる。よって、嵌合解除時の作業性の向上を図ることができる。
【００１６】
さらに、上記案内部はロックアームの先端から水平に切られたスライド溝で形成されると共に、上記ガイド枠は前記スライド溝に摺動可能な状態で跨るように係合され、スライド部材を案内するので、組立作業が容易になると共に、スライド部材のロックアーム上での安定した摺動を得ることができる。
また、前記圧縮バネが帯状板をジグザグ状に折り曲げて形成したジグザグバネであるので、固定枠やスライド部材を一体的に設けることが容易となり、生産性の向上と共に原価低減を図ることができる。
【００１７】
【発明の実施の形態】
以下、本発明の半嵌合防止コネクタの一実施形態を図１〜図５に基づいて詳細に説明する。図１は本発明の半嵌合防止コネクタの一実施形態を示す分解斜視図、図２は図１における完全嵌合時を示す組立断面図、図３は図１における嵌合開始直後を示す作動説明図、図４は図１における中途嵌合状態を示す作動説明図、図５は図２における嵌合解除時を示す作動説明図である。
【００１８】
図１及び図２に示すように、本実施形態の半嵌合コネクタ１には、相互に嵌合接続される一組の雌雄コネクタ２，３の一方の雄コネクタ２のハウジング４内に収納した圧縮バネとして帯状板をジグザグ状に折り曲げて形成したジグザグバネ１２が有って、該ジグザグバネ１２の反発力で雌雄コネクタ２，３相互の中途嵌合を防止するようになっている。
また、上記ハウジング４内で摺動可能に支持されて相手雌コネクタ３との嵌合時にジグザグバネ１２と協動してハウジング４上に設けられた係止爪７を有するロックアーム５を撓ませて相手雌コネクタ３の係止溝２４に係止させるスライド部材１４がジグザグバネ１２の前端部に設けられている。なお、上記ロックアーム５の後端部はハウジング４上の後端部に立設された可撓性を有する支柱６に支持されている。
【００１９】
上記スライド部材１４にバネ機能を備えたバネ部材１１は端子収容室１０を有する上記ハウジング４上に併設された専用スペース２０に収容され、バネ部材１１はジグザグバネ１２の後端部に一体的に設けた固定枠１３によりハウジング４後端の支柱６に設けられた固定部９に固定される。
そして、ジグザグバネ１２の前端部には上記ロックアーム５の先端から水平に切られた案内部としてのスライド溝８に案内されるガイド枠１５と、相手雌コネクタ３のストッパ突起２６に当接する当接部１６とから成るスライド部材１４が一体的に設けられている。
なお、上記ガイド枠１５はスライド溝８の全幅に係合し、かつ前記ロックアーム５に跨るようにして摺動する逆Ｕ字状断面に形成されていて、ジグザグバネ１２の前端面の一方の側から一体的に折り曲げ形成されている。また、上記当接部１６の下端は後方に向けて湾曲状に折り曲げられている。
【００２０】
次に、雌コネクタ３には上記ハウジング４の端子収納室１０を外側から包み込んで嵌入できるハウジング２１があって、上部には門形柱２２に支持された板状の摺動部２３が設けられている。この摺動部２３の後端には凹状の係止溝２４が設けられていると共に、前端下面には係止爪７を押し下げる傾動突起２５が設けられている。
また、ハウジング２１の前端上面にはスライド部材１４の当接部１６に当接するストッパ突起２６が設けられている。そして、ハウジング２１の後方下部には端子収容室２７が後方へ延伸されて設けられている。
【００２１】
上記構成の半嵌合防止コネクタ１においては、ハウジング４上の専用スペース２０にバネ部材１１を置き、バネ部材１１の固定枠１３を支柱６上の固定部９に引っ掛けて固定すると共に、スライド部材１４のガイド枠１５を引っ張りながらロックアーム５のスライド溝８前端から挿入する。すると、バネ部材１１はロックアーム５下面とハウジング４上面との間に収納される。
さらに、端子収容室１０には後部から被覆電線Ｗが接続された雌型端子４１が挿入され、係止ランス等で位置決めされる。また、ハウジング２１後部の端子収容室２７には後部から被覆電線Ｗが接続された雄型端子４２が挿入され、係止ランス等で位置決めされる。
【００２２】
次に、図２〜図５を参照しながら嵌合作動について説明する。
先ず、図３に示すように雌雄コネクタ２，３を向き合わせて嵌合方向へ押圧する。すると、傾動突起２５の前端が係止爪７の上面に当たるから、ロックアーム５はバネ部材１１と共に下方へ撓む。
そして、スライド部材１４の当接部１６がストッパ突起２６に当接するからジグザグバネ１２は圧縮されて次第に反嵌合方向の付勢力が増大する。その結果、図４に示すように係止爪７が係止溝２４に係合される直前まで移動する。この状態が中途嵌合の最終端で、この間に嵌合力が解除されると、ジグザグバネ１２の付勢力で雌コネクタ３は押し戻されて中途嵌合が防止される。
【００２３】
次に、前記中途嵌合の最終端からさらに嵌合を進めると、図２に示すように係止爪７が係止溝２４に係合される。すると、ロックアーム５の撓みも元に戻って完全嵌合状態になる。そして、バネ部材１１の先端に有る当接部１６はストッパ突起２６の先端から外れ、ジグザグバネ１２の先端はスライド溝８に案内されたガイド枠１５に支持されながらロックアーム５の先端に復帰して、ジグザグバネ１２は自由状態になる。そして、中途嵌合状態であるか完全嵌合状態であるかはロックアーム５の傾きや係止爪７と係止溝２４の係止状態を目視することによって判断できる。
【００２４】
次に、完全嵌合状態を解除するには、図５に示すように雌雄コネクタ２，３のハウジング４，２１を持って、操作部５ａを押し、係止爪７と係止溝２４の係合を解除して引き離せば上述した嵌合作動の逆の状態になって容易に解除される。但し、ロックアーム５が下方へ撓んでもバネ部材１１の当接部１６はストッパ突起２６には当接しないから、ジグザグバネ１２は嵌合解除作業中は無負荷な自由状態である。よって、弾性力が作用しないのでロックアーム５を撓ませるだけで雌コネクタ３から引き離す力が小さくて済む。但し、解除作業の終段で当接部１６がストッパ突起２６の裏側に当接するが、当接部１６の下端が湾曲状に折り曲げられているので容易に乗り越えられる。
【００２５】
上述した本実施形態の半嵌合防止コネクタ１においては、上記スライド部材１４にバネ機能を備えたバネ部材１１が端子収容室１０を有するハウジング４上に併設された専用スペース２０に収容され、バネ部材１１はジグザグバネ１２の後端部に設けた固定枠１３によりハウジング４後端に固定される。また、前端部にはロックアーム５の案内部としてのスライド溝８に案内されるガイド枠１５と、相手雌コネクタ３のストッパ突起２６に当接する当接部１６とから成るスライド部材１４が一体的に設けられているので、従来のスライダが不要になるから部品点数が少なく構造が簡単になると共に、組立工数が低減される。
さらに、雌雄のコネクタ２，３の嵌合及び解除時にロックアーム５が前傾して先端の係止爪７が大きく下方に変位しても、後端の支柱６の撓みは僅少である。また、ロックアーム５の支柱６以外の樹脂部材は撓まないので、耐久性を向上することができる。
【００２６】
また、ロック解除時にジグザグバネ１２が圧縮されないようになっているので、嵌合解除時にバネ部材１１の付勢力に抗して引き戻す必要がなくなるから解除作業が容易になる。よって、嵌合解除時の作業性を向上することができる。
さらに、案内部としてのスライド溝８はロックアーム５の先端から水平に切られた溝で形成されると共に、ガイド枠１５はスライド溝８の横幅全域に跨るように且つ摺動可能に係合するように逆Ｕ字断面状に形成されていて、スライド部材１４を案内するから組立作業が容易になる。
また、圧縮バネとしてのジグザグバネ１２が帯状板をジグザグ状に折り曲げて形成されているから、固定枠１５やスライド部材１４を一体的に設けることが容易であり、生産性が向上されると共に、原価低減を図ることができる。
【００２７】
なお、本発明は上述した実施形態に限定されるものでなく、適宜な変更を行うことにより他の形態でも実施することができる。例えば、本実施形態では、雄コネクタ２側の端子収容室２０に雌型端子４１を収容し、雌コネクタ３側の端子収容室２５に雄型端子４２を収容したが、雌雄型端子４１，４２を逆に収容しても差し支えない。また、圧縮バネとしてジグザグバネ１２が使用されていたが、前後にスライド部材１４と固定枠１３が一体的に装着されていればコイル状圧縮バネであっても差し支えない。
【００２８】
【発明の効果】
以上説明したように本発明の半嵌合防止コネクタによれば、スライド部材にバネ機能を備えたバネ部材が端子収納室を有するハウジング上に併設された専用スペースに収容され、バネ部材の圧縮バネの後端側はハウジング後端側に固定枠により固定されると共に、バネ部材の前端にはロックアームの案内部に案内されるガイド枠と相手コネクタのストッパ突起に当接する当接部から成るスライド部材及びバネ部材の後端には固定枠が一体的に設けられている。
従って、従来のスライダが不要になるから部品点数が少なく構造が簡単になると共に、組立工数が低減される。よって、原価低減を図ることができる。
また、雌雄のコネクタの嵌合及び解除時にロックアームの撓みが少なく、該ロックアーム以外の樹脂部材は撓まないので、コネクタの耐久性を向上することができる。
さらに、ロック解除時にバネ部材が圧縮されないようになっているので、嵌合解除時にバネ部材の付勢力に抗して引き戻す必要がなくなるから解除作業が容易になる。よって、嵌合解除時の作業性を向上することができる。
【００２９】
また、上記半嵌合防止コネクタにおいて、案内部はロックアームの先端から水平に切られたスライド溝で形成されると共に、ガイド枠は前記スライド溝に摺動可能な状態で跨るように係合され、スライド部材を案内する。よって、組立作業が容易になる。
さらに、上記半嵌合防止コネクタにおいて、圧縮バネが帯状板をジグザグ状に折り曲げて形成したジグザグバネである。よって、固定枠やスライド部材を一体的に設けることが容易になり、生産性が向上されると共に、原価低減を一層図ることができる。
【図面の簡単な説明】
【図１】本発明の半嵌合防止コネクタの一実施形態を示す分解斜視図である。
【図２】図１における完全嵌合時を示す組立断面図である。
【図３】図１における嵌合開始状態を示す作動説明図である。
【図４】図１における中途嵌合状態を示す作動説明図である。
【図５】図２における嵌合解除時を示す作動説明図である。
【図６】従来の半嵌合防止コネクタの一例を示す分解斜視図である。
【図７】図６におけるスライダの組付け状態を示す断面図である。
【図８】図６における雌雄コネクタの中途嵌合状態を示す作動説明図である。
【図９】図６における雌雄コネクタの完全嵌合時を示す断面図である。
【図１０】図６における雌雄コネクタの嵌合解除時を示す作動説明図である。
【符号の説明】
１  半嵌合防止コネクタ
２  雄コネクタ
３  雌コネクタ
４  コネクタハウジング
５  ロックアーム
７  係止爪
８  スライド溝（案内部）
１０  端子収納室
１１  バネ部材
１２  ジグザグバネ（圧縮バネ）
１３  固定枠
１４  スライド部材
１５  ガイド枠
１６  当接部
２１  コネクタハウジング
２４  係止溝
２５  傾動突起
２６  ストッパ突起
【図１】
0003741356.tif 000002
【図２】
0003741356.tif 000003
【図３】
0003741356.tif 000004
【図４】
0003741356.tif 000005
【図５】
0003741356.tif 000006
【図６】
0003741356.tif 000007
【図７】
0003741356.tif 000008
【図８】
0003741356.tif 000009
【図９】
0003741356.tif 000010
【図１０】
0003741356.tif 000011